【手続補正書】
【提出日】平成18年3月28日(2006.3.28)
【手続補正１】
【補正対象書類名】明細書
【補正対象項目名】特許請求の範囲
【補正方法】変更
【補正の内容】
【特許請求の範囲】
【請求項１】  与えられた条件に応じて複数の画像のそれぞれについて表示位置及び／又は表示サイズを変更しながら前記複数の画像を表示する画像表示装置であって、
第１の処理方法により前記画像の元画像データから任意のサイズの画像データを生成する第１のリサイズ手段と、
前記第１の方法による結果よりも画質の劣化が少ない第２の処理方法により前記画像の元画像データから任意のサイズの画像データを生成する第２のリサイズ手段と、
予め定められた条件に応じて前記第１又は第２のリサイズ手段の一方を選択し、前記元画像データを供給する選択手段とを有することを特徴とする画像表示装置。
【請求項２】  前記与えられた条件に応じて前記表示位置及び／又は表示サイズを変更する処理の頻度が変化するとともに、前記選択手段が単位時間あたりの前記処理の頻度が予め定められた値を超えた場合に前記第１のリサイズ手段を、それ以外の場合は前記第２のリサイズ手段を選択することを特徴とする請求項１記載の画像表示装置。
【請求項３】  前記選択手段が、前記表示サイズが予め定められた大きさになるまでは前記第１のリサイズ手段を、前記表示サイズが前記予め定められた大きさを超えると前記第２のリサイズ手段を選択することを特徴とする請求項１記載の画像表示装置。
【請求項４】  与えられた条件に応じて複数の画像のそれぞれについて表示位置及び／又は表示サイズを変更しながら前記複数の画像を表示する画像表示装置であって、
前記与えられた条件に応じて前記表示サイズの変化割合を決定する表示サイズ変更量決定手段と、
変更後の表示サイズが変更前の表示サイズと異なるか否かを検出するサイズ変化検出手段と、
前記サイズ変化検出手段がサイズ変化を検出した画像について、前記表示サイズ変更量決定手段が決定した前記表示サイズ変更量に応じて前記画像の元画像データを拡大又は縮小して出力し、前記サイズ変化検出手段がサイズ変化を検出しない画像については変更前の画像データを出力するリサイズ手段とを有することを特徴とする画像表示装置。
【請求項５】  前記与えられた条件に応じて前記表示位置及び／又は表示サイズを変更する処理の頻度が変化するとともに、前記表示サイズ変更量決定手段が単位時間あたりの前記処理の頻度が予め定められた値以下の場合に第１の変化割合を、それ以外の場合は前記第１の変化割合よりも大きな第２の変化割合を決定することを特徴とする請求項４記載の画像表示装置。
【請求項６】  与えられた条件に応じて複数の画像のそれぞれについて表示位置及び／又は表示サイズを変更しながら前記複数の画像を表示する画像表示装置であって、
第１の処理方法により前記画像の元画像データから任意のサイズの画像データを生成する第１のリサイズ手段と、
前記第１の方法による結果よりも処理量の多い第２の処理方法により前記画像の元画像データから任意のサイズの画像データを生成する第２のリサイズ手段と、
予め定められた条件に応じて前記第１又は第２のリサイズ手段の一方を選択し、前記元画像データを供給する選択手段とを有することを特徴とする画像表示装置。
【請求項７】  前記与えられた条件に応じて前記表示位置及び／又は表示サイズを変更する処理の頻度が変化するとともに、前記選択手段が単位時間あたりの前記処理の頻度が予め定められた値を超えた場合に前記第１のリサイズ手段を、それ以外の場合は前記第２のリサイズ手段を選択することを特徴とする請求項６記載の画像表示装置。
【請求項８】  前記選択手段が、前記表示サイズが予め定められた大きさになるまでは前記第１のリサイズ手段を、前記表示サイズが前記予め定められた大きさを超えると前記第２のリサイズ手段を選択することを特徴とする請求項６記載の画像表示装置。
【請求項９】  与えられた条件に応じて複数の画像のそれぞれについて表示位置及び／又は表示サイズを変更しながら前記複数の画像を表示する画像表示方法であって、
第１の処理方法により前記画像の元画像データから任意のサイズの画像データを生成する第１のリサイズステップと、
前記第１の方法による結果よりも画質の劣化が少ない第２の処理方法により前記画像の元画像データから任意のサイズの画像データを生成する第２のリサイズステップと、
予め定められた条件に応じて前記第１又は第２のリサイズステップの一方を選択し、前記元画像データを供給する選択ステップとを有することを特徴とする画像表示方法。
【請求項１０】  前記与えられた条件に応じて前記表示位置及び／又は表示サイズを変更する処理の頻度が変化するとともに、前記選択ステップが単位時間あたりの前記処理の頻度が予め定められた値を超えた場合に前記第１のリサイズステップを、それ以外の場合は前記第２のリサイズステップを選択することを特徴とする請求項９記載の画像表示方法。
【請求項１１】  前記選択ステップが、前記表示サイズが予め定められた大きさになるまでは前記第１のリサイズステップを、前記表示サイズが前記予め定められた大きさを超えると前記第２のリサイズステップを選択することを特徴とする請求項９記載の画像表示方法。
【請求項１２】  与えられた条件に応じて複数の画像のそれぞれについて表示位置及び／又は表示サイズを変更しながら前記複数の画像を表示する画像表示方法であって、
前記与えられた条件に応じて前記表示サイズの変化割合を決定する表示サイズ変更量決定ステップと、
変更後の表示サイズが変更前の表示サイズと異なるか否かを検出するサイズ変化検出ステップと、
前記サイズ変化検出ステップがサイズ変化を検出した画像について、前記表示サイズ変更量決定ステップが決定した前記表示サイズ変更量に応じて前記画像の元画像データを拡大又は縮小して出力し、前記サイズ変化検出ステップがサイズ変化を検出しない画像については変更前の画像データを出力するリサイズステップとを有することを特徴とする画像表示方法。
【請求項１３】  前記与えられた条件に応じて前記表示位置及び／又は表示サイズを変更する処理の頻度が変化するとともに、前記表示サイズ変更量決定ステップが単位時間あたりの前記処理の頻度が予め定められた値以下の場合に第１の変化割合を、それ以外の場合は前記第１の変化割合よりも大きな第２の変化割合を決定することを特徴とする請求項１２記載の画像表示方法。
【請求項１４】  与えられた条件に応じて複数の画像のそれぞれについて表示位置及び／又は表示サイズを変更しながら前記複数の画像を表示する画像表示方法であって、
第１の処理方法により前記画像の元画像データから任意のサイズの画像データを生成する第１のリサイズステップと、
前記第１の方法による結果よりも処理量の多い第２の処理方法により前記画像の元画像データから任意のサイズの画像データを生成する第２のリサイズステップと、
予め定められた条件に応じて前記第１又は第２のリサイズステップの一方を選択し、前記元画像データを供給する選択ステップとを有することを特徴とする画像表示方法。
【請求項１５】  前記与えられた条件に応じて前記表示位置及び／又は表示サイズを変更する処理の頻度が変化するとともに、前記選択ステップが単位時間あたりの前記処理の頻度が予め定められた値を超えた場合に前記第１のリサイズステップを、それ以外の場合は前記第２のリサイズステップを選択することを特徴とする請求項１４記載の画像表示方法。
【請求項１６】  前記選択ステップが、前記表示サイズが予め定められた大きさになるまでは前記第１のリサイズステップを、前記表示サイズが前記予め定められた大きさを超えると前記第２のリサイズステップを選択することを特徴とする請求項１４記載の画像表示方法。
【請求項１７】  装置が実行可能なプログラムを格納した記憶媒体であって、前記プログラムを実行した装置を、
与えられた条件に応じて複数の画像のそれぞれについて表示位置及び／又は表示サイズを変更しながら前記複数の画像を表示する画像表示装置であって、
第１の処理方法により前記画像の元画像データから任意のサイズの画像データを生成する第１のリサイズ手段と、
前記第１の方法による結果よりも画質の劣化が少ない第２の処理方法により前記画像の元画像データから任意のサイズの画像データを生成する第２のリサイズ手段と、
予め定められた条件に応じて前記第１又は第２のリサイズ手段の一方を選択し、前記元画像データを供給する選択手段とを有する画像表示装置として機能させることを特徴とする記憶媒体。
【請求項１８】  装置が実行可能なプログラムを格納した記憶媒体であって、前記プログラムを実行した装置を、
与えられた条件に応じて複数の画像のそれぞれについて表示位置及び／又は表示サイズを変更しながら前記複数の画像を表示する画像表示装置であって、
前記与えられた条件に応じて前記表示サイズの変化割合を決定する表示サイズ変更量決定手段と、
変更後の表示サイズが変更前の表示サイズと異なるか否かを検出するサイズ変化検出手段と、
前記サイズ変化検出手段がサイズ変化を検出した画像について、前記表示サイズ変更量決定手段が決定した前記表示サイズ変更量に応じて前記画像の元画像データを拡大又は縮小して出力し、前記サイズ変化検出手段がサイズ変化を検出しない画像については変更前の画像データを出力するリサイズ手段とを有する画像表示装置として機能させることを特徴とする記憶媒体。
【請求項１９】  装置が実行可能なプログラムを格納した記憶媒体であって、前記プログラムを実行した装置を、
与えられた条件に応じて複数の画像のそれぞれについて表示位置及び／又は表示サイズを変更しながら前記複数の画像を表示する画像表示装置であって、
第１の処理方法により前記画像の元画像データから任意のサイズの画像データを生成する第１のリサイズ手段と、
前記第１の方法による結果よりも処理量の多い第２の処理方法により前記画像の元画像データから任意のサイズの画像データを生成する第２のリサイズ手段と、
予め定められた条件に応じて前記第１又は第２のリサイズ手段の一方を選択し、前記元画像データを供給する選択手段とを有する画像表示装置として機能させることを特徴とする記憶媒体。
【請求項２０】  請求項９乃至１６のいずれかに記載の画像表示方法を、装置が実行可能なプログラムとして格納したことを特徴とする記録媒体。